(57)【要約】【課題】  記録媒体にどのようなシーンが記録されているかを直ちに知ることができるとともに、所望のシーンの頭出しを簡単に行うことができるようにする。【解決手段】  主画像データとは別にサーチ画像データが記録された記録媒体の画像データを再生可能なデジタルビデオカメラ等の画像再生装置であって、記録媒体に記録されたサーチ画像データを取り込んでインデックス画像データを生成するインデックス画像データ生成手段と、インデックス画像データに取り込んだ各サーチ画像データに関する付加情報を取得する情報取得手段と、インデックス画像データ及び付加情報を外部機器に送信する送信手段とを備える。例えば付加情報にサーチ画像データの記録位置情報を含めておき、それを利用することにより、各サーチ画像に代表されるシーンの頭出しを簡単に行うことが可能になる。【選択図】  図１
2006134473.tif 000002
【特許請求の範囲】
【請求項１】
主画像データとは別にサーチ画像データが記録された記録媒体の画像データを再生可能な画像再生装置であって、
前記記録媒体に記録されたサーチ画像データを取り込んでインデックス画像データを生成するインデックス画像データ生成手段と、
インデックス画像データに取り込んだ各サーチ画像データに関する付加情報を取得する情報取得手段と、
インデックス画像データ及び付加情報を外部機器に送信する送信手段とを備えたことを特徴とする画像再生装置。
【請求項２】
付加情報を画像情報に変換してインデックス画像内のサーチ画像ごとに付加する付加手段を備え、前記送信手段は、インデックス画像データ及び画像情報に変換された付加情報を前記外部機器であるプリンタに送信することを特徴とする請求項１に記載の画像再生装置。
【請求項３】
前記外部機器であるプリンタが、受信した付加情報を画像情報に変換してインデックス画像内のサーチ画像ごとに付加する付加手段を備えることを特徴とする請求項１に記載の画像再生装置。
【請求項４】
画像情報は特定のコードパターンであることを特徴とする請求項２又は３に記載の画像再生装置。
【請求項５】
プリントされた画像情報を読み取る読み取り手段と、前記読み取り手段によって読み取られた画像情報に応じて、前記記録媒体に対する動作を制御する制御手段とを備えたことを特徴とする請求項２〜４のいずれか１項に記載の画像再生装置。
【請求項６】
前記記録媒体に対する動作とは頭出し動作であることを特徴とする請求項５に記載の画像再生装置。
【請求項７】
前記記録媒体に対する動作とは頭出し動作及びその後の再生動作であることを特徴とする請求項５に記載の画像再生装置。
【請求項８】
前記付加情報には前記記録媒体におけるサーチ画像データの記録位置情報が含まれることを特徴とする請求項１〜７のいずれか１項に記載の画像再生装置。
【請求項９】
前記付加情報にはサーチ画像の番号情報が含まれることを特徴とする請求項１〜８のいずれか１項に記載の画像再生装置。
【請求項１０】
前記付加情報にはエラーチェックコード情報が含まれることを特徴とする請求項１〜９のいずれか１項に記載の画像再生装置。
【請求項１１】
前記付加情報にはＩＤ情報が含まれることを特徴とする請求項１〜１０のいずれか１項に記載の画像再生装置。
【請求項１２】
主画像データとは別にサーチ画像データが記録された記録媒体の画像データを再生可能な画像再生装置と、プリンタとを接続することにより構成される画像再生システムであって、
前記画像再生装置は、前記記録媒体に記録されたサーチ画像データを取り込んでインデックス画像データを生成するインデックス画像データ生成手段と、インデックス画像データに取り込んだ各サーチ画像データに関する付加情報を取得する情報取得手段と、インデックス画像データ及び付加情報を外部機器に送信する送信手段とを備え、
前記プリンタは、前記画像再生装置から受信した付加情報を画像情報に変換してインデックス画像内のサーチ画像ごとに付加する付加手段を備えることを特徴とする画像再生システム。
【請求項１３】
前記画像再生装置は、プリントされた画像情報を読み取る読み取り手段と、前記読み取り手段によって読み取られた画像情報に応じて、前記記録媒体に対する動作を制御する制御手段とをさらに備えたことを特徴とする請求項１２に記載の画像再生システム。
【請求項１４】
主画像データとは別にサーチ画像データが記録された記録媒体の画像データを再生可能な画像再生装置の制御方法であって、
前記記録媒体に記録されたサーチ画像データを取り込んでインデックス画像データを生成するインデックス画像データ生成手順と、
インデックス画像データに取り込んだ各サーチ画像データに関する付加情報を取得する情報取得手順と、
インデックス画像データ及び付加情報を外部機器に送信する送信手順とを有することを特徴とする画像再生装置の制御方法。
【請求項１５】
主画像データとは別にサーチ画像データが記録された記録媒体の画像データを再生可能な画像再生装置と、プリンタとを接続することにより構成される画像再生システムを用いて画像再生方法であって、
前記画像再生装置が、前記記録媒体に記録されたサーチ画像データを取り込んでインデックス画像データを生成するインデックス画像データ生成手順と、
前記画像再生装置が、インデックス画像データに取り込んだ各サーチ画像データに関する付加情報を取得する情報取得手順と、
前記画像再生装置が、インデックス画像データ及び付加情報を外部機器に送信する送信手順と、
前記プリンタが、前記画像再生装置から受信した付加情報を画像情報に変換してインデックス画像内のサーチ画像ごとに付加する付加手順と、
前記画像再生装置が、プリントされた画像情報を読み取る読み取り手段によって読み取られた画像情報に応じて、前記記録媒体に対する動作を制御する制御手順とを有することを特徴とする画像再生方法。
【請求項１６】
主画像データとは別にサーチ画像データが記録された記録媒体の画像データを再生可能な画像再生装置を制御するためのコンピュータプログラムであって、
前記記録媒体に記録されたサーチ画像データを取り込んでインデックス画像データを生成するインデックス画像データ生成処理と、
インデックス画像データに取り込んだ各サーチ画像データに関する付加情報を取得する情報取得処理と、
インデックス画像データ及び付加情報を外部機器に送信する送信処理とをコンピュータに実行させることを特徴とするコンピュータプログラム。
【発明の詳細な説明】
【技術分野】
【０００１】
本発明は、主画像データとは別にサーチ画像データが記録された磁気テープ等の記録媒体の画像データを再生可能な画像再生装置、画像再生システム、画像再生装置の制御方法、画像再生方法、及びコンピュータプログラムに関する。
【背景技術】
【０００２】
ハイビジョン記録が可能なデジタルビデオカメラのように、近年、画像及び音声のデータをＭＰＥＧ（Moving Picture Experts Group）方式のような高度な圧縮方式を用いて記録/再生することが可能となってきている。その方式によれば、特に磁気テープにＭＰＥＧ方式を用いた高画質記録を行うデジタルＶＴＲ（Video Tape Recorder）では、通常再生以外の変速再生（サーチ再生）を行うために、通常再生用のデータとは別の領域にサーチ再生のための専用データ（サーチ画像データ）を記録する方式が既に提案されている（例えば、特許文献１、２参照）。これらの方式では、通常速度の８倍もしくは２４倍といった高速サーチにて、前記サーチ画像データを読み出し表示することが可能である。
【０００３】
これらの提案によれば、８倍速再生用のサーチ画像データは、Ｉピクチャ、Ｐピクチャ、Ｂピクチャにて構成される１５フレームからなる１ＧＯＰ（Group Of Picture）に対して１枚の画像を、テープ上１５０トラック（１５フレーム分のテープ長）に渡って分散的に記録する。また、２４倍速再生用のサーチ画像データは、テープ上４ＧＯＰに対して１枚の画像を、テープ上６００トラック（６０フレーム＝４ＧＯＰ分のテープ長）に渡って分散的に記録する。トラック上の記録位置は、８倍もしくは２４倍の速度でテープを搬送した場合に、テープからのデータを読み込むための磁気ヘッドがトレースする軌跡に沿ったSync Block位置となっている。
【０００４】
図９はサーチ画像データのトラック上の領域配置を示す図である。８倍速のサーチ画像データは、１６トラックごとに１組のデータが書き込まれており、同図に示すように正/逆８倍の速度でテープを搬送した場合に、（−）アジマスの磁気ヘッドがトラックパターンをトレースする軌跡（傾き）に沿った位置にデータ記録領域が設けられている。従って、８倍速モードでも全てのサーチ画像データを読み出すことが可能である。
【０００５】
図１０を参照して、サーチ画像データを読み出して表示するためのサーチ画像データ再生回路について説明する。１７０１はカセットテープである。１７０２は磁気ヘッドから再生された再生データを増幅する再生アンプである。１７０３は再生アンプ１７０２によって増幅された再生データをデジタル信号に変換するＡ/Ｄ変換器である。
【０００６】
１７０４はＡ/Ｄ変換器１７０３から出力されたデジタルデータが書き込まれるＳＤＲＡＭであり、１７０４ａはＳＤＲＡＭ１７０４上に設けられた読み出しデータ領域、１７０４ｂはサーチ画像データ領域である。
【０００７】
１７０５は読み出しデータのエラーを訂正するエラー訂正回路である。１７０６は読み出しデータの中からサーチ画像データを取り込み、ＳＤＲＡＭ１７０４上のサーチ画データ領域１７０４ｂに、図１１に示すような画面形式に応じた構成で書き込むサーチ画像生成回路である。１７０７はサーチ画像データ領域１７０４ｂに記録されたサーチ画像データを取り出してアナログ信号に変換し、モニタに出力するＤ/Ａ変換器である。
【０００８】
高速サーチモードにおいては、磁気テープから読み出されたサーチ画像データを前述したようなサーチ画像データ再生回路回路にて再生することで、８倍速であれば１５フレーム/８（時間）≒０．０６[秒]に１画面程度の更新速度で、連続的にサーチ画像を表示することが可能である。
【０００９】
このようなサーチ画像の画面構成についてはこれまでもいくつかの提案がなされているが、図１１を参照して、輝度データの有効画素が水平×垂直で１４４０×１０８０、色差データの有効画素が水平×垂直で７２０×５４０となる再生画像を、サーチ画像データへと形式変換する場合について説明する。この例では、前述した分解能の画像データを、水平９０×垂直６８マクロブロック（ＭＢ）の画像データに変換する。この場合の１ＭＢの構成は、８画素×８画素の輝度ブロックを水平/垂直方向に２個づつ並べた輝度情報と、そのブロックに対応した８画素×８画素の色差情報（Ｃｒ及びＣｂ）とを組み合わせたものとなっている。これらの情報を通常画像情報より圧縮して短いデータ長に変換することで、図９にて説明したような比較的狭いサーチ画像データ領域に記録することが可能となる（特許文献１参照）。
【００１０】
【特許文献１】特開２００２−２０９１７９号公報
【特許文献２】特開２００２−３１４９４１号公報
【発明の開示】
【発明が解決しようとする課題】
【００１１】
本願出願人は、カセットテープ等の記録媒体に主画像データとは別にサーチ画像データが記録されている場合に、サーチ画像データを用いてインデックス画像データを生成するようにしたものを既に提案している（特願２００４−３０２０１９）。このようにサーチ画像データを用いてインデックス画像データを生成してプリント等することにより、カセットテープに記録された画像を一覧することができ、カセットテープ内にどのようなシーンが記録されているかを直ちに知ることができる。
【００１２】
ところで、上述したようにインデックス画像データをプリント等することにより、カセットテープ内にどのようなシーンが記録されているかを直ちに知ることはできるが、その中から所望のシーンを見つけた場合に、実際に再生しようと当該シーンの頭出しを行うには、ユーザ自身が出力画面を確認しつつカセットテープをサーチ走行させる必要がある。
【００１３】
本願発明は、カセットテープ等の記録媒体にどのようなシーンが記録されているかを直ちに知ることができるとともに、所望のシーンの頭出しを簡単に行うことができるようにすることを目的とする。
【課題を解決するための手段】
【００１４】
本発明の画像再生装置は、主画像データとは別にサーチ画像データが記録された記録媒体の画像データを再生可能な画像再生装置であって、前記記録媒体に記録されたサーチ画像データを取り込んでインデックス画像データを生成するインデックス画像データ生成手段と、インデックス画像データに取り込んだ各サーチ画像データに関する付加情報を取得する情報取得手段と、インデックス画像データ及び付加情報を外部機器に送信する送信手段とを備えた点に特徴を有する。
本発明の画像再生システムは、主画像データとは別にサーチ画像データが記録された記録媒体の画像データを再生可能な画像再生装置と、プリンタとを接続することにより構成される画像再生システムであって、前記画像再生装置は、前記記録媒体に記録されたサーチ画像データを取り込んでインデックス画像データを生成するインデックス画像データ生成手段と、インデックス画像データに取り込んだ各サーチ画像データに関する付加情報を取得する情報取得手段と、インデックス画像データ及び付加情報を外部機器に送信する送信手段とを備え、前記プリンタは、前記画像再生装置から受信した付加情報を画像情報に変換してインデックス画像内のサーチ画像ごとに付加する付加手段を備える点に特徴を有する。
本発明の画像再生装置の制御方法は、主画像データとは別にサーチ画像データが記録された記録媒体の画像データを再生可能な画像再生装置の制御方法であって、前記記録媒体に記録されたサーチ画像データを取り込んでインデックス画像データを生成するインデックス画像データ生成手順と、インデックス画像データに取り込んだ各サーチ画像データに関する付加情報を取得する情報取得手順と、インデックス画像データ及び付加情報を外部機器に送信する送信手順とを有する点に特徴を有する。
本発明の画像再生方法は、主画像データとは別にサーチ画像データが記録された記録媒体の画像データを再生可能な画像再生装置と、プリンタとを接続することにより構成される画像再生システムを用いて画像再生方法であって、前記画像再生装置が、前記記録媒体に記録されたサーチ画像データを取り込んでインデックス画像データを生成するインデックス画像データ生成手順と、前記画像再生装置が、インデックス画像データに取り込んだ各サーチ画像データに関する付加情報を取得する情報取得手順と、前記画像再生装置が、インデックス画像データ及び付加情報を外部機器に送信する送信手順と、前記プリンタが、前記画像再生装置から受信した付加情報を画像情報に変換してインデックス画像内のサーチ画像ごとに付加する付加手順と、前記画像再生装置が、プリントされた画像情報を読み取る読み取り手段によって読み取られた画像情報に応じて、前記記録媒体に対する動作を制御する制御手順とを有する点に特徴を有する。
本発明のコンピュータプログラムは、主画像データとは別にサーチ画像データが記録された記録媒体の画像データを再生可能な画像再生装置を制御するためのコンピュータプログラムであって、前記記録媒体に記録されたサーチ画像データを取り込んでインデックス画像データを生成するインデックス画像データ生成処理と、インデックス画像データに取り込んだ各サーチ画像データに関する付加情報を取得する情報取得処理と、インデックス画像データ及び付加情報を外部機器に送信する送信処理とをコンピュータに実行させる点に特徴を有する。
【発明の効果】
【００１５】
本発明によれば、インデックス画像データを生成するようにしたので、記録媒体にどのようなシーンが記録されているかを直ちに知ることができる。しかも、インデックス画像データに取り込んだ各サーチ画像データに関する付加情報を取得するようにしたので、例えばその付加情報にサーチ画像データの記録位置情報を含めておき、それを利用することにより、各サーチ画像に代表されるシーンの頭出しを簡単に行うことが可能になる。
【発明を実施するための最良の形態】
【００１６】
以下、添付図面を参照して、本発明の好適な実施形態について説明する。本実施形態では、本発明を磁気テープに映像データ及び音声データをデジタル的に記録するデジタルビデオカメラに適用した例を説明する。
【００１７】
（第１の実施形態）
図１は、第１の実施形態のデジタルビデオカメラのうち、バーコードデータ付きインデックス画像データを作成する回路構成を示すブロック図である。１０１は各部の制御を行うシステム制御部（以下、ＣＰＵ）である。１０２はカセットテープであり、主画像データとは別に、図９に示したような形式でサーチ画像データが記録されている。１０３はカセットテープ１０２に対して頭出し動作や再生動作等を行うメカ駆動部である。
【００１８】
１０４はＳＤＲＡＭである。１０５はカセットテープ１０２からサーチ画像データを読み取って、ＳＤＲＡＭ１０４に書き込むサーチ画像生成回路である。１０６はＳＤＲＡＭ１０４に書き込まれたサーチ画像データ１０４ａに関連する付加情報をバーコード等の特定のコードパターンを形成するためのデータに変換して、インデックス画像データ１０４ｂに挿入するバーコードデータ生成回路である。ここでいうバーコードとは、一般的なバーコード、もしくは、２次元コード（例えば、ＱＲコード（登録商標）等）である。
【００１９】
１０７はＳＤＲＡＭ１０４に書き込まれたサーチ画像データ１０４ａをリサイズしてインデックス画像として取り込むリサイズ処理部である。１０８は作成されたインデックス画像データ１０４ｂをＪＰＥＧ圧縮してＪＰＥＧデータ１０４ｃを作成するＪＰＥＧエンコーダである。
【００２０】
１０９はプリンタ１１０とＵＳＢ接続を行うインタフェース部であり、ＳＤＲＡＭ１０４に作成されたＪＰＥＧデータ１０４ｃを出力する。１１０は外部機器としてのプリンタである。
【００２１】
このようにしたデジタルビデオカメラにおいては、メカ駆動部１０３によってカセットテープ１０２（磁気テープ）が高速で巻き戻されて、巻き戻し終了後、正方向に高速サーチされる。
【００２２】
そのときにサーチ画像データが読み取られ、そのサーチ画像をインデックス画像として取り込むかどうかが判別される。インデックス画像として取り込むと判別されたサーチ画像データはサーチ画像生成回路１０５によって取り込まれて、ＳＤＲＡＭ１０４にいったん書き込まれた後、リサイズ処理部１０７によってインデックス画像として取り込み可能なサイズへ縮小される。
【００２３】
また、インデックス画像として取り込むと判別されたサーチ画像データが記録されたテープ位置を示すタイムコードデータ、サーチ画像の番号、エラーチェックコード、更にはバーコードの内容を特定するためのＩＤ情報等を含む付加情報がバーコードデータに変換されて、インデックス画像データ１０４ｂに挿入される。
【００２４】
このようにして作成されたバーコードデータ付きインデックス画像データ１０４ｂは、ＪＰＥＧエンコーダ１０８によってＪＰＥＧデータ１０４ｃに変換され、インタフェース部１０９を介してプリンタ１１０へと出力される。
【００２５】
図２は、第１の実施形態のデジタルビデオカメラのうち、プリントされたバーコード付きインデックス画像のバーコードを読み取って、それに応じて頭出し再生を行う回路構成を示すブロック図である。なお、図１に示した構成要素と重複するものもあるが、ここでは別の符号を付して説明する。
【００２６】
２０１は各部の制御を行うシステム制御部（以下、ＣＰＵ）である。２０２はカセットテープであり、主画像データとは別に、図９に示したような形式でサーチ画像データが記録されている。２０３はカセットテープ１０２に対して頭出し動作や再生動作等を行うメカ駆動部である。
【００２７】
２０４はＳＤＲＡＭである。２０５は図１に示したプリンタ１１０によってバーコード付きインデックス画像がプリントされた記録用紙である。２０６は記録用紙２０５にプリントされたバーコード付きインデックス画像のバーコードを読み取るためのＣＣＤであり、読み取られたバーコードデータはデジタルデータへ変換されてＳＤＲＡＭ２０４に書き込まれる。
【００２８】
２０７はＳＤＲＡＭ２０４に書き込まれたバーコードデータを解析するデコーダ部である。２０８はバーコードデータの解析結果に応じた頭出し動作等の操作をユーザに選択させるための文字情報を生成するビットマップ画像情報生成回路である。２０９は文字情報やテープ再生画像を合成して出力するためのＬＣＤ等の表示装置である。
【００２９】
このようにしたデジタルビデオカメラにおいては、記録用紙２０５にプリントされたバーコード付きインデックス画像のバーコードをＣＣＤ２０６によって読み取ると、その読み取られたバーコードデータがデジタルデータへ変換されてＳＤＲＡＭ２０４に書き込まれる。バーコードデータはデコーダ部２０７によって数値化される。数値化されたデータには、テープ位置を示すタイムコードデータ、サーチ画像の番号、エラーチェックコード、バーコードの内容を特定するためのＩＤ情報等が含まれている。これらの情報がすべて正常に読み取られたならば、読み取りＯＫデータと、読み取ったタイムコードデータ、サーチ画像の番号をＣＰＵ２０１へ送信する。
【００３０】
ＣＰＵ２０１は、受け取ったサーチ画像の番号から、頭出しを行うシーンをユーザに知らせ、頭出し再生の開始を選択させるための画像をビットマップ画像情報生成回路２０８によって生成し、ＳＤＲＡＭ２０４にある出力画像情報生成領域２０４ａにビットマップ画像情報を重畳させてＬＣＤ２０９に出力する。
【００３１】
ＬＣＤ２０９では、例えば４番目のインデックス画像に代表されるシーンを再生するというメッセージと、頭出し再生を行うか否かをユーザに選択させるための画像とを表示する。ユーザが頭出し再生を選択した場合は、タイムコードデータに基づいて頭出し動作をメカ駆動部２０３に行わせて、頭出し終了後、主画像データの再生を開始する。
【００３２】
また、エラーチェックコードが付加されていることで、汚れている印刷画面の読み取りで起こりやすい読み取りエラーを防止することができる。
【００３３】
図３は、図１に示した回路構成におけるバーコードデータ付きインデックス画像データを出力する過程を示すフローチャートである。インデックスプリントが開始されると、まずカセットテープ１０２の巻き戻しを行い（ステップＳ３０１）、続いて正方向への高速サーチを開始する（ステップＳ３０２）。テープが終了するかどうかをチェックしながら（ステップＳ３０３）、読み取ったサーチ画像の日付情報を確認し（ステップＳ３０４）、日付が異なっている場合にはサーチ画像をインデックス画像として取り込む（ステップＳ３０５）。
【００３４】
同時にタイムコードも読み取って（ステップＳ３０６）、タイムコード、サーチ画像の番号、エラーチェックコード、ＩＤ情報等を含めた付加情報を生成し、バーコードデータへ変換した上で（ステップＳ３０７）インデックス画像データに挿入する（ステップＳ３０８）。これら処理動作をテープが終了するまで繰り返す。
【００３５】
テープが終了したら、バーコードデータ付きインデックス画像データ１０４ｂをＪＰＥＧ圧縮してＪＰＥＧデータ１０４ｃを作成し（ステップＳ３０９）、プリンタ１１０に出力する（ステップＳ３１０）。
【００３６】
図４は、図２に示した回路構成におけるプリントされたバーコード付きインデックス画像のバーコードを読み取って、それに応じて頭出し再生を行う過程を示すフローチャートである。ＣＣＤ２０６によってバーコードを読み取って（ステップＳ４０１）、バーコードデータをデコードする（ステップＳ４０２）。
【００３７】
デコード結果が正常でなかった場合（ステップＳ４０３）、バーコードの再読み取りを請求する画面を表示する（ステップＳ４０８）。ユーザが再読み取りを選択した場合、ステップＳ４０１に戻ってバーコードの読み取りを開始し、再読み取りを行わないことを選択した場合は処理を終了する（ステップＳ４０９）。
【００３８】
デコード結果が正常であった場合は（ステップＳ４０３）、バーコードデータに示されているサーチ画像に応じた文字情報を作成し（ステップＳ４０４）、頭出し再生の開始をユーザに選択させるための選択画面へ表示する（ステップＳ４０５）。
【００３９】
ユーザが頭出し再生の開始を選択した場合（ステップＳ４０６）、バーコードデータに示されているタイムコードに応じたテープ位置への頭出し動作及び再生動作を行って（ステップＳ４０７）、処理を終了する。ユーザが頭出し再生の開始を選択しなかった場合（ステップＳ４０６）、そのまま処理を終了する。
【００４０】
（第２の実施形態）
上記第１の実施形態ではデジタルビデオカメラにおいてバーコードデータ付きインデックス画像データを作成するようにしたが、第２の実施形態は、付加情報をインデックス画像データとともにプリンタに送信して、プリンタにおいてバーコードデータを生成してプリントするようにしたものである。
【００４１】
図５は、第２の実施形態のデジタルビデオカメラのうち、インデックス画像データを作成する回路構成を示すブロック図である。５０１は各部の制御を行うシステム制御部（以下、ＣＰＵ）である。ＣＰＵ５０１は、インデックス画像として取り込む各サーチ画像に関連する付加情報（サーチ画像が記録されたテープ位置を示すタイムコードデータ、サーチ画像の番号、エラーチェックコード、インデックス画像におけるサーチ画像の位置情報等）をインタフェース部５０９へ送り、ＪＰＥＧデータ５０４ｃに追加して送信する。
【００４２】
５０２はカセットテープであり、主画像データとは別に、図９に示したような形式でサーチ画像データが記録されている。５０３はカセットテープ１０２に対して頭出し動作や再生動作等を行うメカ駆動部である。
【００４３】
５０４はＳＤＲＡＭである。５０５はカセットテープ５０２からサーチ画像データを取り込んで、ＳＤＲＡＭ１０４に書き込むサーチ画生成回路である。
【００４４】
５０７はＳＤＲＡＭ５０４に書き込まれたサーチ画像データ５０４ａをリサイズしてインデックス画像として取り込むリサイズ処理部である。５０８は作成されたインデックス画像データ５０４ｂをＪＰＥＧ圧縮してＪＰＥＧデータ５０４ｃを作成するＪＰＥＧエンコーダである。
【００４５】
５０９はプリンタ５１０とＵＳＢ接続を行うインタフェース部であり、ＳＤＲＡＭ５０４に作成されたＪＰＥＧデータ５０４ｃを出力する。５１０は外部機器としてのプリンタである。
【００４６】
このようにしたデジタルビデオカメラにおいては、メカ駆動部５０３によってカセットテープ５０２（磁気テープ）が高速で巻き戻されて、巻き戻し終了後、正方向に高速サーチされる。
【００４７】
そのときにサーチ画像データが読み取られ、そのサーチ画像をインデックス画像として取り込むかどうかが判別される。インデックス画像として取り込むと判別されたサーチ画像データはサーチ画像生成回路５０５によって取り込まれて、ＳＤＲＡＭ５０４にいったん書き込まれた後、リサイズ処理部５０７によってインデックス画像として取り込み可能なサイズへ縮小される（インデックス画像データ５０４ｂ）。
【００４８】
また、サーチ画像データの取り込みが終了した場合、付加情報（サーチ画像が記録されたテープ位置を示すタイムコードデータ、サーチ画像の番号、エラーチェックコード、インデックス画像におけるサーチ画像の位置情報等）がコード化されてインタフェース部５０９へ送られる。
【００４９】
このようにして作成されたインデックス画像データ５０４ｂは、ＪＰＥＧエンコーダ５０８によってＪＰＥＧデータ５０４ｃに変換され、インタフェース部５０９を介してプリンタ５１０へと出力され、それに追加してコード化された付加情報もプリンタ５１０へと出力される。
【００５０】
なお、第２の実施形態のデジタルビデオカメラのうち、プリントされたバーコード付きインデックス画像のバーコードを読み取って、それに応じて頭出し再生を行う回路構成については、上記第１の実施形態で説明したものを同様であり（図２を参照）、ここではその説明を省略する。
【００５１】
図６は、第２の実施形態のプリンタのうち、インデックス画像をプリントするに際して付加情報をバーコードデータに変換してインデックス画像データに挿入してプリントする回路構成を示すブロック図である。６０１は各部の制御を行うシステム制御部（以下、ＣＰＵ）である。６０２はＳＤＲＡＭである。６０３はデジタルビデオカメラ６０４（図５を参照）とＵＳＢ接続を行うインタフェース部であり、デジタルビデオカメラ６０４から受け取ったＪＰＥＧデータはＳＤＲＡＭ６０２に書き込まれる（ＪＰＥＧデータ６０２ａ）。
【００５２】
６０５はＳＤＲＡＭ６０２に書き込まれたＪＰＥＧデータ６０２ａをデコードするＪＰＥＧデコーダである。６０６はインタフェース部６０３を介してデジタルビデオカメラ６０４から受け取った付加情報をバーコードデータに変換し、デコードされたインデックス画像データ６０２ｂに挿入するバーコードデータ生成回路である。
【００５３】
６０７はＳＤＲＡＭ６０３に書き込まれたバーコードデータ付きインデックス画像データ６０２ｂをプリントするプリントアウト回路である。
【００５４】
このようにしたプリンタにおいては、インデックス画像データ及び付加情報をインタフェース部６０３を介してデジタルビデオカメラ６０４から受信すると、付加情報が存在するかどうかが判別されて、付加情報が存在する場合にバーコードデータ生成動作に入る。
【００５５】
インデックス画像データは、ＪＰＥＧデコーダ６０５によって解凍され、ＳＤＲＡＭ６０２に書き込まれる。
【００５６】
また、付加情報に示されている情報からバーコードデータ生成回路６０６によってバーコードデータが生成され、そのバーコードデータが、付加情報に示されているインデックス画像におけるサーチ画像の位置情報に応じた位置へ順次挿入される。インデックス画像データへバーコードデータがすべて挿入されると、プリントアウト回路６０７へ送信されてプリントが開始される。
【００５７】
図７は、図５に示した回路構成におけるインデックス画像データを出力する過程を示すフローチャートである。インデックスプリントが開始されると、まずカセットテープ１０２の巻き戻しを行い（ステップＳ７０１）、続いて正方向への高速サーチを開始する（ステップＳ７０２）。テープが終了するかどうかをチェックしながら（ステップＳ７０３）、読み取ったサーチ画像の日付情報を確認し（ステップＳ７０４）、日付が異なっている場合にはサーチ画像をインデックス画像として取り込む（ステップＳ７０５）。
【００５８】
同時にタイムコードも読み取って（ステップＳ７０６）、タイムコード、サーチ画像の番号等を含めた付加情報をコード化し（ステップＳ７０７）、それを記憶する（ステップＳ７０８）。これら処理動作をテープが終了するまで繰り返す。
【００５９】
テープが終了したら、コード化して記憶した付加情報を出力するとともに（ステップＳ７０９）、インデックス画像データ５０４ｂをＪＰＥＧ圧縮してＪＰＥＧデータ５０４ｃを作成し（ステップＳ７１０）、プリンタ５１０に出力する（ステップＳ７１１）。
【００６０】
図８は、図６に示した回路構成におけるバーコードデータ付きインデックス画像データをプリントする過程を示すフローチャートである。デジタルビデオカメラからＪＰＥＧデータを受信すると、付加情報が存在するかどうかを判別し（ステップＳ８０１）、付加情報が存在していない場合には、ＪＰＥＧデータをデコードして（ステップＳ８０７）、インデックス画像データをＳＤＲＡＭ６０２へ書き込む（ステップＳ８０８）。その後、インデックス画像データをプリントアウト回路６０７へ出力して（ステップＳ８０９）、処理を終了する。
【００６１】
それに対して、付加情報が存在している場合には、付加情報をバーコードデータに変換して記憶する（ステップＳ８０２）。また、ＪＰＥＧデータをデコードして（ステップＳ８０３）、インデックス画像データをＳＤＲＡＭ６０２へ書き込む（ステップＳ８０４）。そして、ＳＤＲＡＭ６０２へ展開されたインデックス画像データに対して、先ほど記憶したバーコードデータを挿入するための位置を、付加情報に示されているインデックス画像におけるサーチ画像の位置情報から算出して決定し（ステップＳ８０５）、バーコードデータをインデックス画像データへ挿入する（ステップＳ８０６）、その後、バーコードデータ付きのインデックス画像データをプリントアウト回路６０７へ出力して（ステップＳ８０９）、処理を終了する。
【００６２】
なお、本発明の目的は、上述した実施形態の機能を実現するソフトウェアのプログラムコードを記録した記録媒体を、システム或いは装置に供給し、そのシステム或いは装置のコンピュータ（又はＣＰＵやＭＰＵ）が記録媒体に格納されたプログラムコードを読み出し実行することによっても、達成されることは言うまでもない。
【００６３】
この場合、記録媒体から読み出されたプログラムコード自体が上述した実施形態の機能を実現することになり、プログラムコード自体及びそのプログラムコードを記録した記録媒体は本発明を構成することになる。
【００６４】
プログラムコードを供給するための記録媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００６５】
また、コンピュータが読み出したプログラムコードを実行することにより、上述した実施形態の機能が実現されるだけでなく、そのプログラムコードの指示に基づき、コンピュータ上で稼動しているＯＳ(基本システム或いはオペレーティングシステム)等が実際の処理の一部又は全部を行い、その処理によって上述した実施形態の機能が実現される場合も含まれることは言うまでもない。
【００６６】
更に、記録媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって上述した実施形態の機能が実現される場合も含まれることは言うまでもない。
【図面の簡単な説明】
【００６７】
【図１】第１の実施形態のデジタルビデオカメラの主要部の構成を示すブロック図である。
【図２】第１の実施形態のデジタルビデオカメラの主要部の構成を示すブロック図である。
【図３】第１の実施形態のデジタルビデオカメラでの処理動作について説明するフローチャートである。
【図４】第１の実施形態のデジタルビデオカメラでの処理動作について説明するフローチャートである。
【図５】第２の実施形態のデジタルビデオカメラの主要部の構成を示すブロック図である。
【図６】第２の実施形態のプリンタの主要部の構成を示すブロック図である。
【図７】第２の実施形態のデジタルビデオカメラでの処理動作について説明するフローチャートである。
【図８】第２の実施形態のプリンタでの処理動作について説明するフローチャートである。
【図９】サーチ画像データのトラック上の領域配置を示す図である。
【図１０】サーチ画像データ再生回路の構成を示す図である。
【図１１】サーチ画像データの画面構成例を示す図である。
【符号の説明】
【００６８】
１０１、５０１      システム制御部
１０２、５０２      カセットテープ
１０３、５０３      メカ駆動部
１０４、５０４      ＳＤＲＡＭ
１０５、５０５      サーチ画像生成回路
１０６              バーコードデータ生成回路
１０７、５０７      リサイズ処理部
１０８、５０８      ＪＰＥＧエンコーダ
１０９、５０９      インタフェース部
１１０、５１０      外部機器としてのプリンタ
２０１              システム制御部
２０２              カセットテープ
２０３              メカ駆動部
２０４              ＳＤＲＡＭ
２０５              記録用紙
２０６              ＣＣＤ
２０７              デコーダ部
２０８              ビットマップ画像情報生成回路
２０９              表示装置
６０１              システム制御部
６０２              ＳＤＲＡＭ
６０３              インタフェース部
６０４              デジタルビデオカメラ
６０５              ＪＰＥＧデコーダ
６０６              バーコードデータ生成回路
６０７              プリントアウト回路
【図１】
2006134473.tif 000003
【図２】
2006134473.tif 000004
【図３】
2006134473.tif 000005
【図４】
2006134473.tif 000006
【図５】
2006134473.tif 000007
【図６】
2006134473.tif 000008
【図７】
2006134473.tif 000009
【図８】
2006134473.tif 000010
【図９】
2006134473.tif 000011
【図１０】
2006134473.tif 000012
【図１１】
2006134473.tif 000013